(57)【要約】【課題】ロール式付箋紙供給具の側面を持つだけで、ロール式付箋紙供給具内の付箋紙を容易に固定することができ、所望する大きさの付箋紙を容易に得ることができるロール式付箋紙供給具を、極めて少ない部品構成でありながら、極めて高い機能性と利便性を発揮させることができる付箋紙供給具の提供を図る。【解決手段】ロール型付箋紙供給部50と、基台部20と、から成る付箋紙供給具10であって、基台部20の側面を手で挟むように持つことで、基台部20内のシャフトが縮み、基台部20の側面内壁がロール型付箋紙供給部50の側面を押さえつけることで、ロール型付箋紙供給部50を固定し、安定した付箋紙切断ができる構成を採用した。【選択図】図１
2015123695.tif 000002
【特許請求の範囲】
【請求項１】
ロール型付箋紙供給部50と、基台部20と、から成る箋紙供給具10であって、
前記基台部20は、
２枚の両側壁部21と、前記ロール型付箋紙供給部50を回動自在に軸支するロール型付箋紙供給部支持シャフト22と、第一の天板フレーム部25と、から構成され、
前記ロール型付箋紙供給部支持シャフト22は、前記両側壁部21の内壁面に垂直に配置され、
前記ロール型付箋紙供給部支持シャフト22は、中間部分で分離可能であり、第１のシャフトと第２のシャフトで構成され、前記第１のシャフトは第２のシャフトに遊勘され、
前記第１のシャフトの先端には緩衝部2201が配置され、記第２のシャフトの先端には緩衝部当て部2301を配置され、前記緩衝部2201と前記緩衝部当て部2301は当接し、
前記両側壁部21を前記ロール型付箋紙供給部50方向に湾曲させると、前記両側壁部21の内壁が前記ロール型付箋紙供給部50の側面に接することを特徴とするロール式付箋紙供給具10。
【請求項２】
前記両側壁部21のロール型付箋紙供給部支持シャフト22の周囲にはロール型付箋紙を固定する固定部30が配置されていることを特徴とする請求項１に記載のロール式付箋紙供給具10。
【請求項３】
複数の前記ロール型付箋紙供給部50の間に、スペーサー40を配置され、
前記スペーサ40の面部分の少なくとも一方の面には、凸凹の形状が施されていることを特徴とする請求項１または請求項２に記載のロール式付箋紙供給具10。
【請求項４】
前記スペーサ40の内径部には、少なくとも１つの突起4001があり、前記第１のシャフト２３の周面には、前記突起4001に対応する溝部が形成されていることを特徴とする請求項１からの請求項３のうち少なくとも１つに記載のロール式付箋紙供給具10。
【請求項５】
前記第１の天板フレーム部25と対向する位置に第２の天板フレーム部27を配置し、一方がのこぎり形状、他方がナイフ形状を有することを特徴とする請求項１からの請求項４のうち少なくとも１つに記載のロール式付箋紙供給具10。
【発明の詳細な説明】
【技術分野】
【０００１】
本発明は、所望する大きさの付箋紙を容易に得ることができるロール式付箋紙供給具に関し、詳しくは、ロール式付箋紙供給具の側面を持つことにより、両面壁部がロール状長尺付箋紙を固定し、所望する大きさの付箋紙を容易に得ることができるロール式付箋紙供給具に関する。
【背景技術】
【０００２】
最初の糊付き付箋紙製品であるポスト・イット／Ｐost-it（登録商標）は、アメリカの化学メーカー、スリーエム社が1980年に全米で発売されて以来、今でも世界の100カ国以上で販売されている大ヒット商品となっており、短冊状のものを一時的に文書や書籍に貼り付けたり、栞として使用されている。現在では、パソコン画面の枠などに貼り付けて備忘録や伝言メモとしても一般的に広く使われており、さらに使用先を拡大して外出先で書き写しや差し替えを必要としないメモ紙や手帳の代用品としても使われている。
【０００３】
しかし、現在市販されている付箋紙は、目的に合わせてサイズを選択しなければならず、複数の異なったサイズの付箋紙を揃えておく必要がある。また、短冊状に積層した構成であると、一枚だけ必要なところ、複数枚剥がし取ってしまうこともある。従って、所望するサイズの付箋紙を安価に、且つ安易に得られる器具等に関する技術が求められている。
また、ロール状の付箋紙をセロテープ（登録商標）等で用いられるホルダーに収め、付箋紙を所望するサイズで切断する製品がある。しかしながら、セロテープ（登録商標）は粘着力が極めて強く、それに比べて付箋紙は、貼り付け、引き剥がしを繰り返し行う用途に用いることから、粘着力が低い。そのため、所望のサイズの長さ分をホルダーから引き出し、ホルダーのカッター部分で切断する際にセロテープ（登録商標）と付箋紙で品位の差が発生する。具体的には、セロテープ（登録商標）の場合は、カッター部分にセロテープ（登録商標）に一部が、その粘着力で固定された状態で、カットするので、ロール部分が移動することなく、切り口は正確に幅方向と一致する。それに対して、付箋紙の場合は、カッター部分に付箋紙の一部が弱い粘着力で固定される状態でカットするので、十分な固定ができずカットする際、ロール部分が動いてしまい、切り口が、幅方向に対して、斜めになってしまうことがあった。
そのため、単純な形状であっても、ロール状の付箋紙を品位良くカットできる器具等に関する技術も求められている。
【０００４】
このような上記の問題点を解決しようと、本願発明以外にも種々の技術提案がなされている。例えば、ロール状の用紙を操作しながら送る用紙送り手段と、所望する寸法に切断する切断手段と、粘着剤を塗布する粘着剤塗布手段と、を備えた「付箋紙作成装置」（特許文献１参照）がある。係る発明も本願発明と同様にロール状に巻回した用紙から送り出した付箋紙を所望するサイズで切断することによりサイズの異なる付箋紙を得ることができるという目的と効果が共通する。しかしながら、係る発明では、付箋紙を搬出するために複数のローラー等を用いているため構造が複雑でコストもかかり、また、机上で手軽に使えるものではない。
【０００５】
また、本願の出願人は、本体を垂直方向に積層しての使用に好的な付箋紙供給装置を既に提案している（特許文献２参照）。しかしながら、係る発明も前記の発明と同様に、付箋紙を搬出するための駆動力にモーターを用いているため構造が複雑でコストもかかり、また、机上で手軽に使えるものではなかった。
【０００６】
本出願人は、以上のような問題点に鑑みて、どのような構成にすれば、複雑な構造を避け、机上において手軽にサイズの異なる付箋紙を品位良くカットし、得ることができるかという着想の下、本願発明の「ロール式付箋紙供給具」の提案に至ったものである。
【先行技術文献】
【特許文献】
【０００７】
【特許文献１】特開２００８−８０５５８号公報
【特許文献２】登録実用新案公報第３１４５５３号公報
【発明の概要】
【発明が解決しようとする課題】
【０００８】
ロール式付箋紙供給具の側面を持つだけで、ロール式付箋紙供給具内の付箋紙を容易に固定することができ、所望する大きさの付箋紙を容易に得ることができるロール式付箋紙供給具を、極めて少ない部品構成でありながら、極めて高い機能性と利便性を発揮させることができるロール式付箋紙供給具の提供を図る。
【課題を解決するための手段】
【０００９】
本願における請求項1に記載の発明は、ロール型付箋紙供給部と、基台部と、から成る箋紙供給具であって、前記基台部は、２枚の両側壁部と、前記ロール型付箋紙供給部を回動自在に軸支するロール型付箋紙供給部支持シャフトと、第一の天板フレーム部と、から構成され、前記ロール型付箋紙供給部支持シャフトは、前記両側壁部の内壁面に垂直に配置され、前記ロール型付箋紙供給部支持シャフトは、中間部分で分離可能であり、第１のシャフトと第２のシャフトで構成され、前記第１のシャフトは第２のシャフトに遊勘され、前記第１のシャフトの先端には緩衝部が配置され、記第２のシャフトの先端には緩衝部当て部を配置され、前記緩衝部と前記緩衝部当て部は当接し、前記両側壁部を前記ロール型付箋紙供給部方向に湾曲させると、前記両側壁部の内壁が前記ロール型付箋紙供給部の側面に接する構成を採用したロール式付箋紙供給具とした。
【００１０】
また、本願における請求項２に記載の発明は、前記両側壁部のロール型付箋紙供給部支持シャフトの周囲にはロール型付箋紙の動きを固定する固定部が配置されている構成を採用したロール式付箋紙供給具とした。
【００１１】
また、本願における請求項３に記載の発明は、複数の前記ロール型付箋紙供給部の間に、スペーサーを配置され、前記スペーサの面部分の少なくとも一方の面には、凸凹の形状が施されている構成を採用したロール式付箋紙供給具とした。
【００１２】
また、本願における請求項４に記載の発明は、前記スペーサ40の内径部には、少なくとも１つの突起4001があり、前記第１のシャフト２３の周面には、前記突起4001に対応する溝部が形成されている構成を採用したロール式付箋紙供給具とした。
【００１３】
また、本願における請求項５に記載の発明は、前記第１の天板フレーム部と対向する位置に第２の天板フレーム部27を配置し、一方がのこぎり形状、他方がナイフ形状を有する構成を採用したロール式付箋紙供給具とした。
【発明の効果】
【００１４】
本発明に係る箋紙供給具によれば、ロール式付箋紙供給具の側面を持つだけで、ロール式付箋紙供給具内の付箋紙を容易に固定することができ、所望する大きさの付箋紙を容易に得ることができるという優れた効果を奏する。
【００１５】
また、本発明に係るロール式付箋紙供給具によれば、ロール状に巻回したロールを備えた本体をきわめて自然に押さえることで、ロール状付箋紙を固定できるので付箋紙の切り取りに無用な注意を払うことなく、常にゆがみのない切り口とすることができるという優れた効果を奏する。
【００１６】
また、本発明に係るロール式付箋紙供給具によれば、複数の付箋紙を供給具内に保持できるので、付箋紙の幅、長さとも多くの形状に対応できるという優れた効果を奏する。
【００１７】
また、本発明に係るロール式付箋紙供給具によれば、付箋紙が常にケースを兼用した基台部に収容されているため、使用時のケースからの取り出しや、使用後のケース内への収容という繁雑な作業を軽減できるという優れた効果を奏する。
【図面の簡単な説明】
【００１８】
【図１】本発明に係るロール式付箋紙供給具の斜視図である。
【図２】本発明に係るロール式付箋紙供給具の分解斜視図である。
【図３】本発明に係るロール式付箋紙供給具の３面図である。
【図４】本発明に係るロール式付箋紙供給具の断面図である。
【図５】本発明に係るロール式付箋紙供給具の実施例の図である。
【図６】本発明に係るロール式付箋紙供給具の他の実施例の図である。
【発明を実施するための形態】
【００１９】
本発明に係るロール式付箋紙供給具は、付箋紙供給具の側面を持つだけで、ロール式付箋紙供給具内の付箋紙を容易に固定することができ、所望する大きさの付箋紙を容易に得ることができるロール式付箋紙供給具を、極めて少ない部品構成でありながら、極めて高い機能性と利便性を発揮させることができる点を最大の特徴とするものである。以下、図面に基づいて説明する。
【００２０】
図１、図２、図３、図４に沿って説明する。
図１は、本発明に係るロール式付箋紙供給具１０の全体構成説明図である。図１（ａ）はロール型付箋紙供給部５０を除いた状態での全体斜視図であり、図１（ｂ）はロール型付箋紙供給部５０を含んだ状態での全体斜視図である。図２は、本発明に係るロール式付箋紙供給具１０の分解斜視図である。図３は、本発明に係るロール式付箋紙供給具１０の３面図である。図４は、本発明に係るロール式付箋紙供給具１０の断面図である。
【００２１】
図１に示されるように、本発明に係るロール式付箋紙供給具１０は、ロール型付箋紙供給部５０と、基台部２０と、から構成され、各構成部品が図１に示されるように配置される。
【００２２】
図２は、本発明に係るロール式付箋紙供給具１０の分解斜視図である。基台部２０の両側壁部２１を基板として各構部材が一体成形で備えられているように示されているが、係る分割構造自体に限定されるものではなく、接着や嵌合等により前記各構成部材が両側壁部２１に取り付けるものであっても良い。
【００２３】
基台部２０は、２枚の両側壁部２１と、ロール型付箋紙供給部支持シャフト２２と、第１の天板フレーム部２５と、第１の給紙ガイドフレーム部２６と、第２の天板フレーム部２７と、第１の給紙ガイドフレーム部２８と、固定部３０と、で構成されている。
【００２４】
ロール型付箋紙供給部支持シャフト２２はロール型付箋紙供給部５０を回動自在に軸支するための軸状部材であり、両側壁部２１の内壁面に垂直に配置され、第１のシャフト２３と第２のシャフト２４とで構成されている。
ロール型付箋紙供給部支持シャフト２２の外径は、ロール型付箋紙供給部５０の軸受部５２の内径よりも若干小さく、ロール型付箋紙供給部５０がスムーズに回転できるよう滑らかな表面形態である。
第１のシャフト２３と第２のシャフト２４は、概ね、基台２０の中央で遊勘され、第１のシャフト２３の先端には、緩衝部２３０１が配置され、第２のシャフト２４の先端には、緩衝部当て部２４０１が配置され、緩衝部２３０１と緩衝部当て部２４０１は、当接する構造となっている。
【００２５】
第１の天板フレーム２５は、ロール型付箋紙供給部５０の軸受部５２にロール状に巻けられた付箋紙部５１から付箋紙５３を引き抜いて搬出する際の、付箋紙の切断を行う板状部材であり、第１の給紙ガイドフレーム部２６は、ロール型付箋紙供給部５０の軸受部５２にロール状に巻いた付箋紙部５１が使用により、該ロール径の大きさが変動した場合でも付箋紙５３と第１の天板フレーム２５の位置関係を安定させる案内板である。なお、第１の天板フレーム２５の外側端辺底部形状は、付箋紙５３を裁断しやすい形状として、のこぎり状切り部２５０１としてる。
【００２６】
また、第１の天板フレーム２５と対向する位置には、第２の天板フレーム２７が配置され、第１の給紙ガイドフレーム部２６と対向する位置には、第２の給紙ガイドフレーム部２８が配置され、第２の天板フレーム２７の外側端辺底部形状は、付箋紙５３を裁断しやすい形状として、ナイフ状切り部２７０１としてる。
【００２７】
但し、係る端辺に安全性が確保できる裁断部材を除くものではなく、例えば、第１の天板フレーム部２５と一体成形される極めて微少な突起を並べる裁断部や、安全性を考慮したカッター等の刃部を設ける構成を除く趣旨ではない。他方、第１の給紙ガイドフレーム部２６のロール型付箋紙供給部５０側端辺は、付箋紙部５１が使用により、ロール径の大きさが変動した場合で付箋紙５３が通過しやすいように、なだらかな形状とすることが望ましい。
【００２８】
ロール型付箋紙供給部５０は、裏面の全面に粘着材が塗布された長尺付箋紙をロール状に巻いた付箋紙部５１と、前記付箋紙支持シャフト部２２に回動自在に備えるための中空内径を有する軸受部５２とから構成される。なお、粘着材の塗布領域は特に限定されるものではなく、使用目的に応じた領域幅で塗布された付箋紙５３を用いればよい。
【００２９】
図１（ｂ）においては、複数のロール型付箋紙供給部５０を配置している。複数のロール型付箋紙供給部５０を用いる場合には、ロール型付箋紙供給部５０の幅の合計が両側壁部２１の間隔よりも若干小さい幅が望ましい。
【００３０】
次に、図４，５に沿って、本発明の動作を説明する。図４は、本発明の断面図である。図４（ａ）は、付箋の引き出しを行う際の図である。図４（ｂ）は、付箋の切断を行う際の図である。図５は、本発明に係るロール式付箋紙供給具１０を持ち、付箋を切断する際の具体例である。
【００３１】
すでに説明したいように、基台部２０の構成には、両側壁部２１と第１のフレーム部が含まれる。対向する両側壁部２１が第１のフレーム部によって固定される構造である。そして、両側壁部２１に設置されたロール型付箋紙供給部支持シャフト２２は、第１のシャフト２３と第２のシャフト２４に分かれ、中ほどで、遊勘されている。そのため、両側壁部２１は、第１のフレーム部２５を軸として湾曲可能となっている。より具体的には、両側壁部２１の外壁側を、両側壁部２１をはさむように押さえることで、両側壁部２１を内壁側に曲げることができる（図５）。
【００３２】
第１のシャフト２３と第２のシャフト２４の接合部分を説明すると、第１のシャフト２３の先端の内側はくぼんでおり、その窪み部分に緩衝部２３０１が配置されている。第１のシャフト２３の先端の外径は細く成形され、第２のシャフト２４の先端の内径よりも細くなっている。緩衝部の表面は、第１のシャフト２３の先端位置よりも奥まった位置にある。
【００３３】
第２のシャフト２４の先端の内側は窪んでおり、その窪み部分に緩衝部当て部２４０１を持つ。緩衝部当て部２４０１の外径は、第２のシャフト２４の先端の内径よりも細く、表面は、緩衝部２３０１に当接するために平面又は複数のリブによって平面と同じ効果を奏している。
【００３４】
両側壁部２１に力を加えない状態（図４（ａ））では、緩衝部２３０１と緩衝部当て部２４０１は、接触程度に当接している。
両側壁部２１の両側から挟むように力を加えることによって、両側壁部２１は、第１のフレーム部２５を軸として内側に湾曲する。第１のシャフト２３と第２のシャフト２４の間は遊勘であり、緩衝部２３０１は、緩衝部当て部２４０１に押されて圧縮される。すると、両側壁部２１の内壁の一部がロール型付箋紙供給部５０の側面に圧接し、ロール型付箋紙供給部５０を両側面から固定する形となり、ロール型付箋紙供給部５０を安定して固定するので、ロール型付箋紙供給部５０が回転することはない。そのため、ロール型付箋紙供給部５０が十分固定ができずカットする際、ロール部分が動いてしまい、切り口が、幅方向に対して、斜めになってしまうようなことがなく、品位の高い付箋紙を生成することができる。
【００３５】
また、両側壁部２１への力を解除すると、圧縮された緩衝部２３０１が元に戻る力によって、両側壁部２１は、元の位置に戻る。両側壁部２１の内壁とロール型付箋紙供給部５０の側面との圧接は解消し、ロール型付箋紙供給部５０は回転容易な状態に戻る。
【００３６】
ロール式付箋紙供給具１０から付箋紙５３を生成する際、まず、両側壁部２１の両側を軽く持ち、付箋紙５３を所望の長さまで引き出すのが自然な動作である。付箋紙５３を引き出すのに、力は要らないので、両側壁部２１の両側を持つ力も当然弱い力で十分である。このとき、両側壁部２１の側面からの力は弱いので、両側壁部２１を湾曲させることはない。
【００３７】
次に、付箋紙５３を切断する際は、カッター部を用いて付箋紙５３を引きちぎる動作となるので、両側壁部２１の側面からの力は強くなる。すると、両側壁部２１を湾曲することとなり、上述のように、ロール型付箋紙供給部５０は安定して固定され、付箋紙５３を品位よくカットすることができる（図５）。
【００３８】
第２の実施例について図１、図２、図３、図４に沿って説明する。第１の実施例に記載の内容は省略する。
固定部３０は、両側壁部21の内壁側、ロール型付箋紙供給部支持シャフト２２の周囲に配置されている。形状は、略ドーナッツ状であり、両側壁部２１の内壁面よりも若干ロール型付箋紙供給部５０側に突出した形状である。両側壁部２１とロール型付箋紙供給部５０の側面が接触する際、より確実にロール型付箋紙供給部５０を固定し、ロールの回転を防ぐためのものである。固定部３０の表面は、梨字状等の凸凹の形状が望ましい。付箋紙支持シャフト部２２の軸位置から伸びる放射状の起伏形状や、畝構造でもよい。係る固定部３０を付加することによって、ロール型付箋紙供給部５０の固定動作はより安定したものとすることができる。
【００３９】
第３の実施例について図６に沿って説明する。図６は、スペーサ４０の動作を説明する図である。図６（ａ）は、本発明に係るロール式付箋紙供給具１０の上面からの図であり、ロール型付箋紙供給部５０を点線にて表している。図６（ａ）は、本発明に係る付箋紙供給具１０の側面からの図であり、図６（ａ）のＩＩの断面図である。ロール型付箋紙供給部５０を点線にて表している。図６（ｃ）は、本発明に係るロール式付箋紙供給具１０の分解斜視図である。第１の実施例、第２の実施例に記載の内容は省略する。
【００４０】
スペーサ４０は、図６（ｃ）に示すように、薄いドーナッツ状をしており、厚さは１ｍｍ程度、外径はロール型付箋紙供給部５０の外径よりも若干小さめであり、内径は、第１のシャフト２３の外径よりも若干大きい。スペーサ４０の両面又は一方の面にはすべり防止用の凸凹の形状が付されている。内側には２つの凸部４００１があり、２つの凸部４００１は対向する位置にある。第１のシャフト２２には、凸部４００１に対応する位置に溝状の細径部分であるシャフト細巻部２２０３がある。第１のシャフト２３にスペーサ４０を通す際、凸部４００１とシャフト細巻部２２０３を対応させることで、スペーサ４０は、回転せずに外径はロール型付箋紙供給部５０を保持できる。また、スペーサ４０の外径には、半円形状の凹部４００２があり、スペーサ４０の位置を合わせるために、スペーサ４０を移動させる際の手がかりとするものである。
【００４１】
複数のロール型付箋紙供給部５０を持つ際の付箋紙５３の引き出し時の効果について説明する。ロール式付箋紙供給具１０において、複数のロール型付箋紙供給部５０を用い、付箋紙５３を生成できたほうが、作成できる付箋紙のバリエーションが広がり便利である。幅の異なるもの、色の異なるもの、柄の異なるものを組み合わせることなどである。
【００４２】
複数のロール型付箋紙供給部５０を用いる際、ロールの幅の合計は概ね両側壁部２１の内側の長さと同じ程度であることが望ましい。基台部２０内に過不足無く収まるからである。ところで、複数のロール型付箋紙供給部５０を用いる際、ロール型付箋紙供給部５０同士が、その側面で接している形となる。付箋紙５３の接着材が側面から染み出していると、ロール型付箋紙供給部５０同士が密着してしまうこともある。そうすると、一方のロール型付箋紙供給部５０から付箋紙５３を引き出そうとして、一方のロール型付箋紙供給部５０が回転すると、それに連動して他方のロール型付箋紙供給部５０も回転してしまい、無用に他方の付箋紙５３も引き出されてしまい、使い勝手が悪くなることになる。そこで、ロール型付箋紙供給部５０同士の間にスペーサ４０を入れることで、ロール型付箋紙供給部５０間の密着を防止し、上述の不具合を解消することができる。
【００４３】
複数のロール型付箋紙供給部５０を持つ際の付箋紙５３の切断時の効果について説明する。
複数のロール型付箋紙供給部５０を持つ状態で、付箋紙５３を第１のガイドフレーム部２６で切断しようとしたとき、実施例１の動作によって、両側壁部２１が内側に湾曲し、ロール型付箋紙供給部５０の側面を両側壁部２１の内壁で押さえ、ロール型付箋紙供給部５０の回転を抑えようとした際、ロール型付箋紙供給部５０同士の接した側面部分は、面としての均一性が低いことから、ロール型付箋紙供給部５０同士の接した側面部分ですべりを生じて、十分な固定ができない可能性がある。そこで、スペーサ４０をロール型付箋紙供給部５０間に配置することによって、ロール型付箋紙供給部５０同士のすべりを解消する。また、スペーサ４０の表面を凸凹形状のようなすべりにくい形状とすることでさらに、ロール型付箋紙供給部５０の固定を確実にすることができる。
【００４４】
また、スペーサ４０の内径に凸部４００１を設け、第１のシャフト２３の周部に対応する溝部を設け、シャフト細巻部２３０３とし、凸部４００１とシャフト細巻部２３０３を対応するように、スペーサ４０を第１のシャフト２３に挿入することで、スペーサ４０は、回転しないスペーサとしての機能を持つ。
そうすると、各々のロール型付箋紙供給部５０は、両側壁部２１の内壁とスペーサ４０によってより確実に固定されることとなり、安定して付箋紙切断を行うことができる。
【００４５】
第４の実施例について図１、図２、図３に沿って説明する。第１の実施例、第２の実施例に記載の内容は省略する。基台部２０において、第１のフレーム部２５と対向する位置に、第２のフレーム部２７があり、第１のガイドフレーム部２６と対向する位置に、第２のガイドフレーム部２７が配置されている。第１のフレーム部２５と第２のフレーム部２７はロール型付箋紙供給部支持シャフト２２から見て対称の位置にある。第１のフレーム部２５には、のこぎり状切り部２５０１が配置され、第２のフレーム部２７には、ナイフ状切り部２７０１が配置されている。
【００４６】
以下、第２のフレーム部２７の効果を説明する。ロール式付箋紙供給具において、ロール状の付箋紙を切断する場合、切断する機構として、金属の刃で行うと最も精度よくカットできる。しかし、付箋紙は幅の広いものもあり、刃幅の広いカット部分は、安全上問題であるし、コストも上がる。そのため、本体と同じ樹脂構造でカット部分を作るのが現実的である。
【００４７】
カット形状の１つとして、のこぎり状がある、あまり力を入れずに切断が可能である。しかし、切れ目が、ぎざぎざとなるので、見た目の品位が若干落ちる点が欠点となる。また、他のカット形状の１つとして、ナイフ状がある、切断時、特に切断の最初にある程度の力が必要である。しかし、切れ目が、比較的滑らかで、見た目の品位がよい。このように、カット形状によって、生成させる付箋紙の質に差がでることから、適宜、カット形状を選択できるロール式付箋紙供給具が望まれてた。
【００４８】
そこで、ロール式付箋紙供給具の上下に異なるカット形状を持つフレーム部を配置し、好みに応じて、２つのカット形状を使い分けることとした。第１のフレーム部２５ののこぎり状切り部２５０１を用いたい場合は、図１（ｂ）にあるように、ロール型付箋紙供給部５０から出る付箋紙５３の表面が第１のフレーム部にくるようにロール型付箋紙供給部５０を取り付け、第２のフレーム部２７のナイフ状切り部２７０１を用いたい場合は、ロール型付箋紙供給部５０から出る付箋紙５３の表面が第２のフレーム部２７側に来るようにロール型付箋紙供給部５０を反転させて取り付ける。このようにすることによって、２つのカット形状を使い分けることができる。
【産業上の利用可能性】
【００４９】
本発明に係るロール式付箋紙供給具は、あらゆる事務作業や学習など、机上における資料等の利用に資するのみならず、製造現場など多様なシーンでも活用しやすく、産業上の利用可能性は大きいものと思量される。
【符号の説明】
【００５０】
１０  ロール式付箋紙供給具
２０  基台部
２１  両側壁部
２２  ロール型付箋紙供給部支持シャフト  
２３  第１のシャフト  
２４  第２のシャフト
２５  第１のフレーム部  
２６  第１のガイドフレーム部
２７  第２のフレーム部
２８  第２のガイドフレーム部
３０  固定部
４０  スペーサー
５０  ロール型付箋紙供給部
５１  付箋紙部
５２  軸受部
５３  付箋紙
６０  手
２２０１  緩衝部
２３０２  シャフト太巻部
２３０３  シャフト細巻部
２４０１  緩衝部当て部
２５０１  のこぎり状切り部
２７０１  ナイフ状切り部
４００１  凸部
４００２  凹部
【図１】
2015123695.tif 000003
【図２】
2015123695.tif 000004
【図３】
2015123695.tif 000005
【図４】
2015123695.tif 000006
【図５】
2015123695.tif 000007
【図６】
2015123695.tif 000008